(57)【特許請求の範囲】
【請求項１】
設定された２点間を繰り返し再生するＡ−Ｂリピート機能を備えたＤＶＤ再生装置において、
再生中にＡ点又はＢ点を設定する地点設定キーが押下されると、再生中のＮＶ＿ＰＣＫのアドレスとともに、再生に必要なデータを記憶し、
Ａ点が設定された後、Ｂ点が設定される前に再生中のタイトルが終了した場合は、該タイトルの最後のＮＶ＿ＰＣＫのアドレスをＢ点として記憶し、
Ａ点及びＢ点が複数組設定され、Ａ−Ｂリピート実行キーが押下されると、前記記憶したＡ点及びＢ点のＮＶ＿ＰＣＫのアドレスを読み出すとともに、前記記憶したデータを読み出して、設定された順にＡ−Ｂリピートを行うことを特徴とするＤＶＤ再生装置。
【請求項２】
設定されたマーカー点から再生するマーカーサーチ機能を備えたＤＶＤ再生装置において、
再生中にマーカー点を設定するマーカー設定キーが押下されると、再生中のＮＶ＿ＰＣＫのアドレスとともに、再生に必要なデータを記憶し、
マーカー点が複数個設定され、マーカーサーチ実行キーが押下されると、前記記憶した何れかのマーカー点のＮＶ＿ＰＣＫのアドレスを読み出すとともに、前記記憶したデータを読み出して再生することを特徴とするＤＶＤ再生装置。
【請求項３】
設定された２点間を繰り返し再生するＡ−Ｂリピート機能を備えたＤＶＤ再生装置において、
再生中にＡ点又はＢ点を設定する地点設定キーが押下されると、再生中のＮＶ＿ＰＣＫのアドレスとともに、再生に必要なデータを記憶し、
Ａ−Ｂリピート実行キーが押下されると、前記記憶したＡ点及びＢ点のＮＶ＿ＰＣＫのアドレスを読み出すとともに、前記記憶したデータを読み出してＡ点からＢ点まで再生することを特徴とするＤＶＤ再生装置。
【請求項４】
Ａ点が設定された後、Ｂ点が設定される前に再生中のタイトルが終了した場合は、該タイトルの最後のＮＶ＿ＰＣＫのアドレスをＢ点として記憶することを特徴とする請求項３記載のＤＶＤ再生装置。
【請求項５】
Ａ点及びＢ点が複数組設定され、Ａ−Ｂリピート実行キーが押下されると、設定された順にＡ−Ｂリピートを行うことを特徴とする請求項３記載のＤＶＤ再生装置。
【請求項６】
設定されたマーカー点から再生するマーカーサーチ機能を備えたＤＶＤ再生装置において、
再生中にマーカー点を設定するマーカー設定キーが押下されると、再生中のＮＶ＿ＰＣＫのアドレスとともに、再生に必要なデータを記憶し、
マーカーサーチ実行キーが押下されると、前記記憶したマーカー点のＮＶ＿ＰＣＫのアドレスを読み出すとともに、前記記憶したデータを読み出して再生することを特徴とするＤＶＤ再生装置。
【発明の詳細な説明】
【０００１】
【発明の属する技術分野】
本発明は、Ａ−Ｂリピート機能又はマーカーサーチ機能を備えたＤＶＤ再生装置に関するものである。
【０００２】
【従来の技術】
近年、ＤＶＤ（Digital Versatile Disc）が規格化され、普及しつつある。そしてＤＶＤ再生装置には様々な再生機能が備えられている。その機能の中に、再生中に所定キーを押下することでＡ点及びＢ点を決め、Ａ−Ｂ間を繰り返し再生するＡ−Ｂリピート機能や、再生中に所定キーを押下することでマーカー点を決め、再生中にいつでもマーカー位置からの再生ができるマーカーサーチ機能がある。
【０００３】
上記の２つの機能のように、指定された位置から再生する場合、ＴＭＵ（タイムマップユニット：秒）を用いて再生位置を記憶、検索していた。ＴＭＵはＭＡＰ＿ＥＮＴ（マップエントリ）の大体の時間間隔であり、ディスク毎に任意に設定（通常、１≦ＴＭＵ≦４）される。ＭＡＰ＿ＥＮＴは一定時間毎に記録された番号である。
【０００４】
例えば、Ａ点（又はＢ点、又はマーカー点）が設定されると、Ａ点（又はＢ点、又はマーカー点）の時間情報を記憶する。そして設定された点を検索するときは、Ａ点（又はＢ点、又はマーカー点）の時間をＴＭＵで割って算出されたＭＡＰ＿ＥＮＴ＿Ｎｓ（マップエントリ番号）よりＶＯＢＵ（ビデオオブジェクトユニット）の先頭アドレスを取得し、再生を開始する。
【０００５】
また特許文献１に開示されている情報再生装置では、デコーダを２つ備えている。デコーダ１で処理しながら再生し、リピート開始位置（Ａ点）が指定されると現在処理中のＧＯＰをディスクドライブから読み取りストリームバッファに格納する。また、該ＧＯＰの先頭からデータを休止中のデコーダ２に供給しリピート開始位置までデコードして一時停止する。リピート再生実行が指示されると出力をデコーダ２側に切り換え、デコーダ２による開始位置からの処理を開始させ、瞬時にリピート再生を実行させる。またデコーダ１に対しても同様にＧＯＰの先頭からデータを供給し開始位置までデコードを行わせ一時停止させる。リピート再生実行が指示されると再びデコーダ１側からの出力に切り換える。
【０００６】
また特許文献２に開示されているデジタル情報記録再生システムでは、Ａ−Ｂ間リピートキーにより設定されたＡ点及びＢ点は、設定直後の対応する画像データ（ＧＯＰ（グループオブピクチャー））の先頭アドレスを指すとしている。
【０００７】
また特許文献３に開示されているディスク再生装置および再生制御方法では、ＮＶ＿ＰＣＫ（ナビゲーションパック）等の再生管理情報に従って、読み出し対象となるデータ（ＶＯＢＵ）のディスク上におけるアドレスを設定している。また、読出手段は設定手段により設定されたアドレスを検索し、取得した再生信号により対象データをディスクから読み出している。
【０００８】
【特許文献１】
特開２００１−２０３９７７号公報
【特許文献２】
特開２００２−１７６６２５号公報
【特許文献３】
特開２００２−２２２５８４号公報
【０００９】
【発明が解決しようとする課題】
しかしながら、ＴＭＵを用いてＡ−Ｂリピートやマーカーサーチ等を行う場合は、ディスクにＴＭＵの記載がないと検索できない。また、ＴＭＵの値が大きくなるとともにＭＡＰ＿ＥＮＴの間隔が大きくなるため、ユーザが指定した再生位置からのずれも大きくなってしまう。
【００１０】
また、特許文献１及び特許文献２ではＧＯＰを記憶して再生しているが、このＧＯＰの部分に傷があると利用することができない。また、特許文献３の再生方法は通常の再生時に一般的に用いられている方法である。
【００１１】
本発明は、上記の問題点に鑑み、ＴＭＵを使用せずに指定の再生位置を検索可能にするとともに、指定の再生位置からのずれをなくしたＤＶＤ再生装置を提供することを目的とする。
【００１２】
【課題を解決するための手段】
上記目的を達成するために本発明は、設定された２点間を繰り返し再生するＡ−Ｂリピート機能を備えたＤＶＤ再生装置において、再生中にＡ点又はＢ点を設定する地点設定キーが押下されると、再生中のＮＶ＿ＰＣＫのアドレスを記憶し、Ａ−Ｂリピート実行キーが押下されると、前記記憶したＡ点及びＢ点のＮＶ＿ＰＣＫのアドレスを読み出してＡ点からＢ点まで再生することを特徴とするものである。
【００１３】
このように、Ａ−Ｂリピートの再生位置の情報としてＮＶ＿ＰＣＫのアドレスを用いることにより、ＴＭＵを使用せずに指定の再生位置を検索可能にするとともに、指定の再生位置からのずれをなくすことができる。従って、ユーザにとってはそれぞれの設定操作は従来と同様に行え、所望の場面から正確に再生され快適な使い勝手のよいＤＶＤ再生装置である。
【００１４】
上記のＤＶＤ再生装置において、前記再生中のＮＶ＿ＰＣＫのアドレスの記憶とともに、再生に必要なデータを記憶し、前記記憶したＮＶ＿ＰＣＫのアドレスの読み出しとともに、前記記憶したデータを読み出すようにしてもよい。
【００１５】
例えば、再生に必要なデータとしてアングル、字幕の指定（言語の指定）、音声の種類を記憶した場合は、それらの条件をＡ−Ｂリピート時に再現することができる。従って、Ａ−Ｂリピートはその区間を再生するだけでなくＡ点設定時の他の再生条件まで再現することができる。
【００１６】
また上記のＤＶＤ再生装置において、Ａ点が設定された後、Ｂ点が設定される前に再生中のタイトルが終了した場合は、該タイトルの最後のＮＶ＿ＰＣＫのアドレスをＢ点として記憶するようにしてもよい。これにより、タイトルを跨いのＡ−Ｂリピートを禁止することができる。
【００１７】
また上記のＤＶＤ再生装置において、Ａ点及びＢ点が複数組設定され、Ａ−Ｂリピート実行キーが押下されると、設定された順にＡ−Ｂリピートを行うようにしてもよい。
【００１８】
これにより、複数のＡ−Ｂリピート区間を繋げて順次再生することができる。従って、所望の場面を集めてそのタイトルのハイライト等の作成ができる。
【００１９】
また本発明は、設定されたマーカー点から再生するマーカーサーチ機能を備えたＤＶＤ再生装置において、再生中にマーカー点を設定するマーカー設定キーが押下されると、再生中のＮＶ＿ＰＣＫのアドレスを記憶し、マーカーサーチ実行キーが押下されると、前記記憶したマーカー点のＮＶ＿ＰＣＫのアドレスを読み出して再生することを特徴とするものである。
【００２０】
このように、マーカーサーチの再生位置の情報としてＮＶ＿ＰＣＫのアドレスを用いることにより、ＴＭＵを使用せずに指定の再生位置を検索可能にするとともに、指定の再生位置からのずれをなくすことができる。従って、ユーザにとっては設定操作は従来と同様に行え、所望の場面から正確に再生され快適な使い勝手のよいＤＶＤ再生装置である。
【００２１】
上記のＤＶＤ再生装置において、前記再生中のＮＶ＿ＰＣＫのアドレスの記憶とともに、再生に必要なデータを記憶し、前記記憶したＮＶ＿ＰＣＫのアドレスの読み出しとともに、前記記憶したデータを読み出すようにしてもよい。
【００２２】
例えば、再生に必要なデータとしてアングル、字幕の指定（言語の指定）、音声の種類を記憶した場合は、それらの条件をマーカーサーチ時に再現することができる。従って、マーカーサーチは指定の位置から再生するだけでなくマーカー点設定時の他の再生条件まで再現することができる。
【００２３】
また上記のＤＶＤ再生装置において、マーカー点が複数個設定され、マーカーサーチ実行キーが押下されると、何れかのマーカーをサーチするようにしてもよい。
【００２４】
例えば、マーカーサーチ実行キーが押下されるとマーカーの一覧を表示し、その中から何れかのマーカー点を選択できるようにすると、所望のマーカー点から再生することができる。
【００２５】
【発明の実施の形態】
図１は、ＤＶＤに記録される情報の階層構造を説明する図である。ＤＶＤに形成されたデータ記録エリアは、図１に示すような構造を有している。この構造の論理フォーマットは、例えば標準規格の１つであるＩＳＯ９６６０及びユニバーサルディスクフォーマット（ＵＤＦ）ブリッジに準拠して定められている。
【００２６】
リードインエリアからリードアウトエリアまでの間のデータ記録エリアは、ボリュームスペースとして割り当てられる。このボリュームスペースは、ボリューム及びファイル構造の情報のための空間（ボリューム／ファイル構造）と、ＤＶＤ規格のアプリケーションのための空間（ＤＶＤビデオ領域）と、この規格のアプリケーション以外のための空間（他記録エリア）を含むことができる。
【００２７】
ボリュームスペースは、多数のセクタに物理的に分割され、それらの物理的セクタには連続番号が付されている。このボリュームスペースに記録されるデータの論理アドレスはＩＳＯ９６６０及びＵＤＦブリッジで定められるように、論理セクタ番号を意味している。
【００２８】
ボリューム／ファイル構造領域はＩＳＯ９６６０及びＵＦＤブリッジに定められる管理領域に相当する。この領域の記述に基づいて、ＶＭＧ（ビデオマネージャ）の内容が後述するＤＶＤ再生装置内部のシステムマイコンに格納される。ＶＭＧにはＶＴＳ（ビデオタイトルセット）を管理する情報が記述されている。
【００２９】
ＶＴＳは、ＶＴＳＩ（ビデオタイトルセット情報）、ＶＴＳＭ＿ＶＯＢＳ（ビデオタイトルセットメニュー用ビデオオブジェクトセット）、ＶＴＳＴＴ＿ＶＯＢＳ（ビデオタイトルセットタイトル用ビデオオブジェクトセット）、ＶＴＳＩ＿ＢＵＰ（ビデオタイトルセット情報のバックアップ）を含んでいる。
【００３０】
ＶＴＳＴＴ＿ＶＯＢＳには、各ＶＯＢ（ビデオオブジェクト）に含まれるＣｅｌｌ（セル）のＩＤ番号が記述されている。またＶＴＳＩには、ＰＧＣＩ（プログラムチェイン情報）が記録されている。
【００３１】
他の記録エリアには、上述したＶＴＳで利用可能な情報、或いはＶＴＳとは関係のない他の情報を記録することができる。なお、このエリアは必須ではない。
【００３２】
図２は、ＰＧＣＩの構成を説明する図である。ＰＧＣＩは複数のＰＧＣ（プログラムチェイン）により構成され、各ＰＧＣには、そのＰＧＣを構成するＣｅｌｌの番号が記録されている。またＰＧＣＩには、ＰＧＣ＿ＰＢ＿ＴＭ（プログラムチェインプレイバックタイム）と、Ｃ＿ＰＢＴＭ（セルプレイバックタイム）の時間情報がタイムコードで記録されている。ＰＧＣ＿ＰＢ＿ＴＭは、そのＰＧＣに含まれる一連のＣｅｌｌを再生するのに要する総再生時間をタイムコードで表記したものであり、Ｃ＿ＰＢＴＭは、ＰＧＣに含まれる各Ｃｅｌｌの再生時間をタイムコードで表記したものである。
【００３３】
図３は、ＶＴＳＴＴ＿ＶＯＢＳに含まれる情報の階層構造を説明する図である。ＶＯＢＳ（ビデオオブジェクトセット）は、複数（図３ではｉ個）のＶＯＢにより構成される。また、ＶＯＢは複数（図３ではｊ個）のＣｅｌｌにより構成されている。なお、図中のＶＯＢ＿ＩＤＮｋはＶＯＢのＩＤ番号を示し、Ｃ＿ＩＤＮｋはＣｅｌｌのＩＤ番号を示す。
【００３４】
Ｃｅｌｌは、複数のＶＯＢＵ（ビデオオブジェクトユニット）により構成されている。そして、ＶＯＢＵは、ＮＶ＿ＰＣＫ（ナビゲーションパック）、Ａ＿ＰＣＫ（オーディオパック）、Ｖ＿ＰＣＫ（ビデオパック）、ＳＰ＿ＰＣＫ（サブピクチャパック）により構成されている。図３に示すように、ＮＶ＿ＰＣＫは各ＶＯＢＵの先頭にだけ配置されている。
【００３５】
Ａ＿ＰＣＫにはオーディオデータが、Ｖ＿ＰＣＫにはビデオデータが、ＳＰ＿ＰＣＫには字幕データが、個別に圧縮・符号化され記録されている。ＮＶ＿ＰＣＫには、通常再生や特殊再生といった処理を円滑に行うための付加情報が記録されており、その１つにＰＣＩ（プレゼンテーションコントロール情報）があり、その中にＮＶ＿ＰＣＫ＿ＬＢＮ（ナビゲーションパックのＬＢＮ）が記録されている。このデータを読むことによりナビゲーションパックの先頭アドレスを知ることができる。
【００３６】
図４は、ＤＶＤ再生装置１０の構成を示すブロック図である。ＤＶＤ再生装置１０は、ピックアップ１１と、ＲＦアンプ１２と、モータ１４と、サーボ回路１４と、信号処理回路１５と、トラックバッファ１６と、システムデコーダ１７と、システムマイコン１８と、表示部１９とを備えている。
【００３７】
ピックアップ１１は、所定波長のレーザ光をディスクｄの記録面に向けて照射し、その反射光を受けて電気信号（反射光検出信号）に変換する。またピックアップ１１は、この反射光検出信号をＲＦアンプ１２に供給する。なお、ピックアップ１１は、ディスクｄから対象のデータを適宜読み出すことができるように、所定のガイド軸等により、ディスクｄの径方向に移動自在に支持されている。
【００３８】
ＲＦアンプ１２は、ピックアップ１１より供給された反射光検出信号からＲＦ信号、トラッキング信号、及びフォーカス信号等を生成する。更に、ＲＦ信号をデータスライスした二値化信号を生成する。ＲＦアンプ１２は、生成したトラッキング信号等をサーボ回路１４に供給し、また、生成した二値化信号を再生信号として信号処理回路１５に供給する。
【００３９】
モータ１３は、ディスクｄを搭載する所定のターンテーブルを回転させるためのスピンドルモータ等からなる。モータ１３は、サーバ回路１４により制御され、ディスクｄを例えば線速度が一定となるように回転駆動させる。
【００４０】
サーボ回路１４は、モータ１３を駆動制御し、所定の回転速度で回転駆動させる。また、サーボ回路１４は、ＲＦアンプ１２から供給されるトラッキング信号等によりスレッドモータ（不図示）を駆動制御し、ピックアップ１１をディスクｄの径方向に適宜移動させる。
【００４１】
信号処理回路１５は、ＲＦアンプ１２から供給される再生信号を復調し、そして、誤り訂正等を行う。信号処理回路１５は、この復調等により得られた復調データをトラックバッファ１６に順次供給する。
【００４２】
トラックバッファ１６は、所定容量のＲＡＭ等からなり、信号処理回路１５から供給された復調データを順次記憶する。なお、トラックバッファ１６に記憶された復調データは、システムデコーダ１７へ逐次供給される。
【００４３】
システムデコーダ１７は、トラックバッファ１６から供給される復調データをデコードし、映像データ及び音声データ等を生成する。システムデコーダ１７は、生成した映像データ及び音声データ等を所定のＡＶアンプ等に供給する。
【００４４】
システムマイコン１８は、例えば、ＲＯＭ、ＲＡＭ、及びＣＰＵを備えた１チップマイコン等からなり、ＤＶＤ再生装置１０全体を制御する。システムマイコン１８は、サーボ回路１４等を制御して、ディスクｄに予め記録されたＰＧＣＩを取得し、自己のＲＡＭ等に記憶する。そして、記憶したＰＧＣＩに従った対象Ｃｅｌｌの読み出しを行うＰＧＣ動作を実行する。
【００４５】
具体的に、システムマイコン１８は、ＰＧＣ動作を実行する際に、Ｃｅｌｌを構成する上述のＶＯＢＵの再生管理情報であるＮＶ＿ＰＣＫを取得し、このＮＶ＿ＰＣＫに従って対象データ（ＶＯＢＵ）をディスクｄから再生する。即ち、システムマイコン１８は、ＮＶ＿ＰＣＫを取得すると、読み出し対象となる対象データのアドレスを設定し、サーボ回路１４等を制御して、設定したアドレスの対象データをサーチする。そして、サーチした対象データをディスクｄから読み出し、信号制御回路１５を制御して、読み出した対象データ（再生信号）の復調及び誤り訂正等を行い、復調データをトラックバッファ１６に格納する。システムマイコン１８は、これらアドレス設定、サーチ、読み出し、復調・誤り訂正、データ格納等からなる一連の動作をトラックバッファ１６の空き容量等に応じて繰り返し行う。
【００４６】
またこれらの動作と並行して、システムマイコン１８は、システムデコーダ１７を制御してトラックバッファ１６に格納されている復調データをデコードし、映像データ及び音声データ等を順次再生する。
【００４７】
表示部１９は、ＬＣＤ（Liquid Crystal Display）パネル等からなり、ＤＶＤ再生装置１０の動作状況等を表示する。
【００４８】
以下、ＤＶＤ再生装置１０の動作について説明する。まず、設定された２点間を繰り返し再生するＡ−Ｂリピート機能について説明する。図５は、Ａ−Ｂリピート設定時の動作の一例を示すフローチャートである。ＤＶＤの再生中に、ステップＳ１０においてユーザによりリモコン又は本体の地点設定キー（不図示）が押下されると、ステップＳ１１へ進んで再生中のＮＶ＿ＰＣＫのアドレスをＡ点として記憶する。続いてステップＳ１２へ進んで再生に必要なデータ（現在の再生条件）を記憶する。このデータには、アングル、字幕の指定（言語の指定）、音声の種類などが含まれる。
【００４９】
次に、ステップＳ１３へ進んで現在再生中のタイトルが終了したか否かを判定する。ステップＳ１３において再生中のタイトルが終了した場合は、Ｂ点を強制的に設定するためにステップＳ１５へ進む。通常の使用ではタイトルを跨いでＡ−Ｂリピートを設定する必要性がないからである。一方、ステップＳ１３において再生中のタイトルが終了していない場合は、ステップＳ１４へ進んで地点設定キーが押下されたか否かを判別する。ステップＳ１４において地点設定キーが押下されていないときはステップＳ１３に戻る。一方、ステップＳ１４において地点設定キーが押下されたときは、Ｂ点の設定があったものと判断してステップＳ１５へ進む。
【００５０】
ステップＳ１５では、再生中のＮＶ＿ＰＣＫのアドレスをＢ点として記憶する。タイトルが終了した場合はその最後のＮＶ＿ＰＣＫのアドレスをＢ点として記憶する。ステップＳ１５完了後にステップＳ１０に戻り一連のＡ−Ｂリピート設定処理を繰り返すことができる。その際、次に設定されるＡ点及びＢ点を既に記憶している点と区別して記憶することにより複数のＡ−Ｂリピートの区間を記憶するようにしてもよい。また、次に設定されるＡ点及びＢ点は既に記憶されている点に上書き記憶する仕様にすると、常に最新のＡ点及びＢ点のみが記憶されることになる。
【００５１】
なお、ステップＳ１３は必ずしも必要ではなく、製品の仕様により省略してもよい。その場合、タイトルを跨いでＡ−Ｂリピートを設定することが可能となる。
【００５２】
上記の方法でＡ−Ｂリピートの設定が完了すると、Ａ−Ｂリピートを実行することができる。図６は、Ａ−Ｂリピート実行時の動作の一例を示すフローチャートである。ユーザによりリモコン又は本体のＡ−Ｂリピート実行キー（不図示）が押下されると、ステップＳ２０においてＡ点のＮＶ＿ＰＣＫのアドレスを読み出す。続いてステップＳ２１へ進んで、記憶されている再生に必要なデータも読み出す。そして、ステップＳ２２へ進んで読み出したデータの条件に設定し、Ａ点から再生を開始する。
【００５３】
次に、ステップＳ２３へ進んでＢ点のＮＶ＿ＰＣＫのアドレスを読み出し、ステップＳ２４へ進んでＢ点まで再生したか否かを判別する。ステップＳ２４においてＢ点まで再生されると、Ａ−Ｂリピートの区間が終了したと判断してステップＳ２５へ進んで再生を終了する。その後、ステップＳ２５からステップＳ２０に戻り一連の実行処理を繰り返す。ここで、複数のＡ−Ｂリピート区間が設定されているときは次のＡ−Ｂリピート区間を再生し、最新のＡ−Ｂリピート区間のみが設定されているときはそのＡ−Ｂリピート区間を繰り返し再生する。
【００５４】
次に、設定されたマーカー点から再生するマーカーサーチ機能について説明する。図７は、マーカー設定時の動作の一例を示すフローチャートである。ＤＶＤの再生中に、ステップＳ３０においてユーザによりリモコン又は本体のマーカー設定キー（不図示）が押下されると、ステップＳ３１へ進んで再生中のＮＶ＿ＰＣＫのアドレスをマーカー点として記憶する。続いてステップＳ３２へ進んで再生に必要なデータ（現在の再生条件）を記憶する。このデータには、アングル、字幕の指定（言語の指定）、音声の種類などが含まれる。
【００５５】
ステップＳ３２完了後にステップＳ３０に戻り一連のマーカー設定処理を繰り返すことができる。その際、次に設定されるマーカー点を既に記憶している点と区別して記憶することにより複数のマーカーを記憶するようにしてもよい。また、次に設定されるマーカー点は既に記憶されている点に上書き記憶する仕様にすると、常に最新のマーカー点のみが記憶されることになる。
【００５６】
上記の方法でマーカー設定が完了すると、マーカーサーチを実行することができる。図８は、マーカーサーチ実行時の動作の一例を示すフローチャートである。ユーザによりリモコン又は本体のマーカーサーチ実行キー（不図示）が押下されると、ステップＳ４０においてマーカー点のＮＶ＿ＰＣＫのアドレスを読み出す。続いてステップＳ４１へ進んで、記憶されている再生に必要なデータも読み出す。そして、ステップＳ４２へ進んで読み出したデータの条件に設定し、マーカー点から再生を開始する。
【００５７】
なお、複数のマーカーが記憶されている場合は、マーカーサーチ実行キーが押下されたときにマーカーの一覧（マーカー番号、タイトル、時間など）を表示し、所望のマーカーを選択できるようにするとよい。
【００５８】
このように、Ａ−Ｂリピートやマーカーサーチの再生位置の情報としてＮＶ＿ＰＣＫのアドレスを用いることにより、ＴＭＵを使用せずに指定の再生位置を検索可能にするとともに、指定の再生位置からのずれをなくすことができる。従って、ユーザにとってはそれぞれの設定操作は従来と同様に行え、所望の場面から正確に再生され快適な使い勝手のよいＤＶＤ再生装置である。
【００５９】
また、特許文献１及び特許文献２ではＧＯＰを記憶して再生しているので、このＧＯＰの部分に傷があると利用することができない。更にＮＶ＿ＰＣＫに傷があっても再生することができない。それに対して本発明ではＧＯＰに傷がある場合はそのＧＯＰを飛ばして再生するので何ら問題はない。そして、ＮＶ＿ＰＣＫに傷がなければ利用することができる。このように、ＮＶ＿ＰＣＫを読むことができれば再生は可能であるため、ＤＶＤの傷の影響を受けにくいＤＶＤ再生装置であるといえる。
【００６０】
【発明の効果】
本発明によれば、Ａ−Ｂリピートやマーカーサーチの再生位置の情報としてＮＶ＿ＰＣＫのアドレスを用いることにより、ＴＭＵを使用せずに指定の再生位置を検索可能にするとともに、指定の再生位置からのずれをなくすことができる。
従って、ユーザにとって、それぞれの設定操作を従来と同様に行え、所望の場面から正確に再生され快適な使い勝手のよいＤＶＤ再生装置を提供することができる。
【図面の簡単な説明】
【図１】    ＤＶＤに記録される情報の階層構造を説明する図である。
【図２】    ＰＧＣＩの構成を説明する図である。
【図３】    ＶＴＳＴＴ＿ＶＯＢＳに含まれる情報の階層構造を説明する図である。
【図４】    本発明のＤＶＤ再生装置の構成を示すブロック図である。
【図５】    Ａ−Ｂリピート設定時の動作の一例を示すフローチャートである。
【図６】    Ａ−Ｂリピート実行時の動作の一例を示すフローチャートである。
【図７】    マーカー設定時の動作の一例を示すフローチャートである。
【図８】    マーカーサーチ実行時の動作の一例を示すフローチャートである。
【符号の説明】
１０    ＤＶＤ再生装置
１１    ピックアップ
１２    ＲＦアンプ
１３    モータ
１４    サーボ回路
１５    信号処理回路
１６    トラックバッファ
１７    システムデコーダ
１８    システムマイコン
１９    表示部
【図１】
0003700943.tif 000002
【図２】
0003700943.tif 000003
【図３】
0003700943.tif 000004
【図４】
0003700943.tif 000005
【図５】
0003700943.tif 000006
【図６】
0003700943.tif 000007
【図７】
0003700943.tif 000008
【図８】
0003700943.tif 000009